(57)【要約】【課題】経時的なグリース量減少にもかかわらず、ベアリングケースの潤滑すべき箇所へのグリース供給を迅速かつ効率的に行える無給脂型ユニバーサルジョイントを得る。【解決手段】予めグリースＧを充填したベアリングケース３を各十字軸２の端部に装着することによって、十字軸２内に設けた給脂十字孔４の軸端開口に配置したグリースキーパー手段とともにベアリングケース内のグリースを給脂十字孔の中心に向かって押し込み、グリースを給脂十字孔内に保持する無給脂型ユニバーサルジョイント１において、グリースキーパー手段を、ベアリングケースに対向する開口を有するグリース収容カップであって、底面中心から開口端縁よりも上方に突出するスペーサ突起５Ａを有するグリース収容カップ５と、グリース収容カップ５と給脂十字孔４の中心通気孔６の近傍における狭隘内面７との間で給脂十字孔４に配置した圧縮コイルばね８とにより構成する。【選択図】図１
2006207758.tif 000002
【特許請求の範囲】
【請求項１】
内部空間に予めグリースを充填したベアリングケースを各十字軸端部に装着することによって、中心で互いに交差して通気孔に連通するよう十字軸内に設けた給脂十字孔の軸端開口に配置したグリースキーパー手段とともにベアリングケース内のグリースを前記給脂十字孔の中心に向かって押し込み、グリースを給脂十字孔内に保持する無給脂型ユニバーサルジョイントにおいて、前記グリースキーパー手段を、
前記ベアリングケースに対向する開口を有するグリース収容カップであって、底面中心から開口端縁よりも上方に突出するスペーサ突起を有するグリース収容カップと、
このグリース収容カップと前記給脂十字孔の中心通気孔の近傍における狭隘内面との間で前記給脂十字孔に配置した圧縮コイルばねと
により構成したことを特徴とする無給脂型ユニバーサルジョイント。
【請求項２】
前記圧縮コイルばねは、ベアリングケースを十字軸端部に保持するオイルシールによるベアリングケース緊迫力より弱いばね力を有するものとした請求項１記載の無給脂型ユニバーサルジョイント。
【請求項３】
前記グリース収容カップの周縁に、前記給脂十字孔の内面に対する摺動可能な密封手段を設けた請求項１または２記載の無給脂型ユニバーサルジョイント。
【請求項４】
前記密封手段を、少なくとも１個のＯリングよりなるＯリング手段とした請求項３記載の無給脂型ユニバーサルジョイント。
【請求項５】
前記密封手段を、可撓性リップ手段とした請求項３記載の無給脂型ユニバーサルジョイント。
【発明の詳細な説明】
【技術分野】
【０００１】
本発明は、内部空間に予めグリースを充填したベアリングケースを各十字軸端部に装着することによって、中心で互いに交差して通気孔に連通するよう十字軸内に設けた給脂十字孔の軸端開口に配置したグリースキーパー手段とともにベアリングケース内のグリースを前記給脂十字孔の中心に向かって押し込み、グリースを給脂十字孔内に保持する無給脂型ユニバーサルジョイントに関するものである。
【背景技術】
【０００２】
従来、ユニバーサルジョイントのベアリングケースを潤滑するためのグリースは、十字軸にベアリングケースを組み付けた後、十字軸内部に設けた互いに交差する給脂十字孔の中心部と十字軸外部とを連通する通孔に設けたニップルから潤滑のためのグリースを給脂するのが、ごく一般的であった。
【０００３】
一方、十字軸にベアリングケースを組み付ける前に、予めベアリングケース内に所要量のグリースを充填しておき、ベアリングケースを組み付ける押圧力によって給脂十字孔内にグリースキーパー手段とともにグリースを閉塞する無給脂型ユニバーサルジョイントが提案された。（例えば、特許文献１参照。）この無給脂型ユニバーサルジョイントは、メインテナンスフリーであり、また、十字軸外部に突出するニップルを不要にできるため、外観がすっきりとし、かつ回転の際のバランスがよくなるという効果がある。
【特許文献１】実開平５‐１９６６４号公報
【発明の開示】
【発明が解決しようとする課題】
【０００４】
しかし、この無給脂型ユニバーサルジョイントでは、組付け時にグリースとともに給脂十字孔内に圧入されたグリースキーパー手段は、組付け時のグリース量に基づく給脂十字孔内における初期位置に留まる傾向がある。しかし、駆動軸の稼働および時間の経過とともに、グリース量は初期量から減少していくため、給脂十字孔からベアリングケースの潤滑すべき箇所へのグリース供給を迅速かつ効率的に行うことができなくなる。
【０００５】
したがって、本発明の目的は、経時的なグリース量減少にもかかわらず、ベアリングケースの潤滑すべき箇所へのグリース供給を迅速かつ効率的に行うことができる無給脂型ユニバーサルジョイントを得るにある。
【課題を解決するための手段】
【０００６】
この目的を達成するため、本発明無給脂型ユニバーサルジョイントは、前記グリースキーパー手段を、
前記ベアリングケースに対向する開口を有するグリース収容カップであって、底面中心から開口端縁よりも上方に突出するスペーサ突起を有するグリース収容カップと、
このグリース収容カップと前記給脂十字孔の中心通気孔の近傍における狭隘内面との間で前記給脂十字孔に配置した圧縮コイルばねと
により構成したことを特徴とする。
【発明の効果】
【０００７】
本発明によれば、圧縮コイルばねがグリース収容カップを常にベアリングケースの頂面の方向に押圧するため、グリース量の減少にともなってグリース収容カップを給脂十字孔の末端方向に移動させ、したがって、グリース収容カップは、常に適正にグリースを保持し、潤滑すべき箇所への迅速かつ効率的なグリース供給を行い、常に良好な潤滑状態を保つことができる。
【発明を実施するための最良の形態】
【０００８】
本発明の好適な実施例においては、圧縮コイルばねは、ベアリングケースを十字軸端部に保持するオイルシールによるベアリングケース緊迫力より弱いばね力を有するものとする。この構成によれば、ベアリングケースの十字軸端部への組付けが容易になる。
【０００９】
さらに、本発明の好適な実施例においては、グリース収容カップの周縁に、前記給脂十字孔の内面に対する摺動可能な密封手段を設ける。この場合、密封手段を、少なくとも１個のＯリングよりなるＯリング手段、もしくは可撓性リップ手段とする。このような構成によれば、グリースが給脂十字孔の中心部側に漏れて中心の通気孔から流出するのを防止し、グリース量減少を抑制することができる。
【００１０】
次に、図面につき本発明の好適な実施例を説明する。
【実施例１】
【００１１】
図１は、本発明による無給脂型ユニバーサルジョイント１の一部断面とする側面図を示す。十字軸２の左向き軸端部に対してベアリングケース３を組み付けようとしている段階を示し、他の３個の軸端部には既にベアリングケースの組付けを完了した状態であり、上向き軸端部は断面で示す。
【００１２】
本発明によれば、ベアリングケース３を十字軸端部組み付ける前に、ベアリングケース内にグリース（潤滑剤）Ｇを充填しておく。また、十字軸２の内部に設けた給脂十字孔４の軸端部における開口部にグリースキーパー手段のグリース収容カップ５を配置し、このグリース収容カップ５と給脂十字孔４の中心通気孔６の近傍における狭隘内面７との間に、グリースキーパー手段の圧縮コイルばね８を配置しておく。
【００１３】
ベアリングケース３を十字軸端部に対する組み付ける（圧入する）とき、上向き軸端部の断面で示すように、グリースキーパー手段（グリース収容カップ５および圧縮コイルばね８）とともにベアリングケース３内のグリースＧを給脂十字孔４の中心に向かって押し込む。中心通気孔６により、ベアリングケース３を十字軸端部に対する組み付け（圧入）の際の背圧上昇がなく、組み付け（圧入）が容易になる。
【００１４】
圧縮コイルばね８は、ベアリングケース３を十字軸端部に保持するオイルシール９によるベアリングケース緊迫力より弱いばね力を有するものとする。
【００１５】
好適には耐油性プラスチック材料で形成したグリース収容カップ５は、ベアリングケースに対向して開口し、底面中心から開口端縁よりも上方に突出するスペーサ突起５Ａを有する。さらに、図示しないが、グリース収容カップ５の周縁に、給脂十字孔の内面に対する摺動可能な密封手段、好適には、少なくとも１個のＯリングよりなるＯリング手段、もしくは可撓性リップ手段を設ける。このようにグリース収容カップ５の周縁に密封手段を設けることにより、グリースＧが給脂十字孔４の中心部側に漏れて中心の通気孔６から流出するのを防止し、グリース量減少を抑制できる。
【００１６】
ベアリングケース３を十字軸端部に組み付けた直後の初期状態は、図２（ａ）に示すような状態であるが、使用にともなって、グリースＧはベアリングケースのオイルシール９から漏れ出て、グリース量は初期量から減少する。本発明によれば、グリース量減少にともなって、圧縮コイルばね８は、グリース収容カップ５を給脂十字孔の軸端開口に向かって押圧移動する。これにより、潤滑すべき箇所へのグリース供給を迅速かつ効率的に行って、良好な潤滑条件が保持される。
【００１７】
スペーサ突起５Ａは、図２（ｂ）に示すように、グリース量が最大限減少した際に、ベアリングケース頂面の内側面に衝合し、グリース収容カップの周縁がベアリング頂面の内側面に衝合するのを防止し、グリース収容カップの周縁が磨滅するのを回避する。
【図面の簡単な説明】
【００１８】
【図１】本発明によるユニバーサルジョイントの一部断面とする側面図である。
【図２】図１のII‐II線上の縦断面図であり、（ａ）は、ベアリングケースを十字軸端部に組み付けた直後の初期状態を示し、（ｂ）は使用後にグリース量が最大限減少した状態を示す縦断面図である。
【符号の説明】
【００１９】
１  無給脂型ユニバーサルジョイント
２  十字軸
３  ベアリングケース
４  給脂十字孔
５  グリース収容カップ
５Ａ  スペーサ突起
６  中心通気孔
７  狭隘内面
８  圧縮コイルばね
９  オイルシール
Ｇ  グリース
【図１】
2006207758.tif 000003
【図２】
2006207758.tif 000004